(57)【特許請求の範囲】
【請求項１】
円筒状の胴部と、
前記胴部の一方の開口に取り付けられて打面を構成するバターヘッドと、
前記胴部の他方の開口に取り付けられるスネアサイドヘッドと、
前記スネアサイドヘッドに対して接離されるスナッピーと
を備えたスネアドラムにおいて、
前記バターヘッドと、前記スネアサイドヘッドとのうちの前記スネアサイドヘッドだけに複数の開口部を設けたことを特徴とするスネアドラム。
【請求項２】
前記スネアサイドヘッドの中心部を中心として径方向に延び前記スナッピーの幅と略等しい幅の領域を除いた部分のみに複数の開口部を設けたことを特徴とする請求項１に記載のスネアドラム。
【請求項３】
前記スネアサイドヘッドの中心部を中心として径方向に延び、前記スナッピーの幅と略等しい幅の領域と、前記領域以外の部分とで、複数の開口部を配置する密度を異ならせるようにしたことを特徴とする請求項１に記載のスネアドラム。
【請求項４】
前記スネアサイドヘッドの中心部を中心として径方向に延び、前記スナッピーの幅と略等しい幅の領域に配置される開口部と、前記領域以外の部分に配置される開口部とで、開口部の直径を異ならせるようにしたことを特徴とする請求項１または３に記載のスネアドラム。
【請求項５】
前記スネアサイドヘッドの中央側部分と外周側部分とで複数の開口部を配置する密度を異ならせるようにしたことを特徴とする請求項１ないし４のうちのいずれか一つに記載のスネアドラム。
【請求項６】
前記スネアサイドヘッドの中央側部分に配置される開口部と外周側部分に配置される開口部とで開口部の直径を異ならせるようにしたことを特徴とする請求項１ないし５のうちのいずれか一つに記載のスネアドラム。
【発明の詳細な説明】
【技術分野】
【０００１】
本発明は、音量を低減できるスネアドラムに関する。
【背景技術】
【０００２】
アコースティックドラムは大きな音を発生する楽器であるため、演奏する会場によっては音量が大きすぎるという問題が生じたり、他の楽器との音量差が大きいため音量が低減するように調整しなければならないという問題が生じたりしている。このため、従来から、打面を構成するヘッド部材をメッシュヘッドに置き換えたり、ヘッド部材の上にゴムパッドを置いたりして音量を低減することが行われている。このようなドラムの中に、ヘッド部材に複数の開口部を設けることによって、音量を減少させるものがある（例えば、特許文献１参照）。
【０００３】
このドラムは、円筒状の胴部と、胴部の上部開口に設けられるシート状のヘッド部材とを備えており、ヘッド部材としては、開口孔が多数形成されたパンチングシートが用いられている。このヘッド部材を用いたドラムによると、網目状のヘッド部材を用いたドラムよりもヘッド部材を打撃したときの跳ね返りが小さくなるため、打感を通常のアコースティックドラムに近づけながら発音量を減少させることができる。
【先行技術文献】
【特許文献】
【０００４】
【特許文献１】特許第３８３５０８４号公報
【発明の概要】
【０００５】
しかしながら、前述した従来のドラムで用いる多数の開口孔が形成されたヘッド部材をスネアドラムのバターヘッドとして用いた場合には、バターヘッドをスティックで打撃してバターヘッドが変位したり、振動したりしてもスネアサイドヘッドやスナッピーに空気や音圧が届きにくいため、スネアサイドヘッドとスナッピーとによるスネアドラムらしい音が殆ど発生しない。また、バターヘッドに開口部を設けると、バターヘッドの振動がすぐに減衰するため、スネアサイドヘッドとスナッピーに伝わる空気が持続しなくなり、スネアドラム本来の自然なサステインを得ることができなくなってしまう。
【０００６】
さらに、バターヘッドをスティックで打撃したときのバターヘッドの挙動が、開口部がある場合と無い場合とで異なるため、開口部を設けることによって、通常のスネアドラムとは打感や感触が異なるようになる。このため、多数の開口孔が形成されたヘッド部材をバターヘッドとして用いたスネアドラムでは、練習用に用いることはできるが、実際の演奏用として用いることはできないという問題が生じる。また、バターヘッドのような打面に開口部を設けると、バターヘッドの耐久性が著しく低下するという問題もある。
【０００７】
本発明は、前述した問題に対処するためになされたもので、その目的は、スネアドラム本来の音色や打感を保ちながら音量を低減できるスネアドラムを提供することである。なお、下記本発明の各構成要件の記載においては、本発明の理解を容易にするために、実施形態の対応箇所の符号を括弧内に記載しているが、本発明の構成要件は、実施形態の符号によって示された対応箇所の構成に限定解釈されるべきものではない。
【０００８】
前述した目的を達成するため、本発明に係るスネアドラムの構成上の特徴は、円筒状の胴部（１１）と、胴部の一方の開口に取り付けられて打面を構成するバターヘッド（１２）と、胴部の他方の開口に取り付けられるスネアサイドヘッド（１３，２３，３３，４３，５３）と、スネアサイドヘッドに対して接離されるスナッピー（１４）とを備えたスネアドラム（１０，２０，３０，４０，５０）において、バターヘッドと、スネアサイドヘッドとのうちのスネアサイドヘッドだけに複数の開口部（１３ｃ，２３ｃ，３３ｃ，４３ｃ，４３ｄ，５３ｃ）を設けたことにある。
【０００９】
本発明に係るスネアドラムでは、スネアドラムの両面を構成するバターヘッドとスネアサイドヘッドのうちのバターヘッドには開口部を設けず、スネアサイドヘッドだけに開口部を設けている。このため、バターヘッドを打撃したときに、バターヘッドは、従来のスネアドラムのバターヘッドと同様に振動を続けようとする挙動を示し、スネアサイドヘッドとスナッピーは振幅が小さくなるが、それなりに振動し続けようとする。これによって、スナッピーがスネアサイドヘッドに衝突する際に生じるスネアドラム本来の音色やサステインを保たせることができる。
【００１０】
また、バターヘッドは、従来のものと同じであるため、バターヘッドを打撃する際の打感や感触は通常のスネアドラムと同じになる。さらに、従来のスネアドラムのスネアサイドヘッドだけを取り替えて使用できるため、バターヘッドの張力、スネアサイドヘッドの張力およびスナッピーの張力など各部分のチューニングも従来通り行える。このように、本発明に係るスネアドラムによると、打撃音の音色やサステインをスネアドラム本来の音色やサステインを保ちながら、音量だけを低減することができる。また、バターヘッドには開口部が設けられていないため、打撃に対する耐久性が低下することもない。
【００１１】
また、本発明に係るスネアドラムの他の構成上の特徴は、スネアサイドヘッド（１３，３３，４３，５３）の中心部を中心として径方向に延び、スナッピーの幅と略等しい幅の領域を除いた部分のみ複数の開口部（１３ｃ，３３ｃ，４３ｃ，４３ｄ，５３ｃ）を設けたことにある。本発明によると、スネアサイドヘッドにおける開口部が設けられていない部分の耐久性は、従来のスネアサイドヘッドと同等の耐久性を維持することができる。
【００１２】
また、本発明に係るスネアドラムのさらに他の構成上の特徴は、スネアサイドヘッドの中心部を中心として径方向に延び、スナッピーの幅と略等しい幅の領域と、領域以外の部分とで、複数の開口部を配置する密度を異ならせるようにしたことにある。これによると、音量低減の効果と耐久性の効果とを任意に変更することができる。
【００１３】
また、本発明に係るスネアドラムのさらに他の構成上の特徴は、スネアサイドヘッドの中心部を中心として径方向に延び、スナッピーの幅と略等しい幅の領域に配置される開口部と、領域以外の部分に配置される開口部とで、開口部の直径を異ならせるようにしたことにある。これによっても、音量低減の効果と耐久性の効果とを任意に変更することができる。
【００１４】
また、本発明に係るスネアドラムのさらに他の構成上の特徴は、スネアサイドヘッド（４３，５３）の中央側部分と外周側部分とで複数の開口部（４３ｃ，４３ｄ，５３ｃ）を配置する密度を異ならせるようにしたことにある。本発明によると、スネアドラムが発生する音が減衰する際の時期を変更したり、その音の振幅を低減させる程度を変更したりすることができる。このため、任意の音色を発生するスネアドラムを得ることができる。
【００１５】
また、本発明に係るスネアドラムのさらに他の構成上の特徴は、スネアサイドヘッド（４３）の中央側部分に配置される開口部と外周側部分に配置される開口部とで、開口部（４３ｃ，４３ｄ）の直径を異ならせるようにしたことにある。本発明によっても、スネアドラムが発生する音の減衰や振幅を変化させることができるため、任意の減衰や振幅を備えた音を発生するスネアドラムを得ることができる。
【００１６】
また、本発明においては、開口部の直径を０．５〜５ｍｍに設定し、開口部のスネアサイドヘッドに対する開口率を０．５〜６％に設定することが好ましい。これによると、一般的なスネアドラム、例えば、直径が１３インチや１４インチのスネアドラムにおいて、自然なスネアドラムの音色を発生できる良好なスネアドラムを得ることができる。なお、この場合の開口部のスネアサイドヘッドに対する開口率は、胴部におけるスネアサイドヘッドが取り付けられる開口の面積に対する全開口部の合計面積となる。また、開口部の直径や開口率が異なる複数のスネアサイドヘッドを揃えておくことで、演奏に応じて異なる音量や音色のスネアドラムを選んで使用することができる。
【図面の簡単な説明】
【００１７】
【図１】本発明の第１実施形態に係るスネアドラムを示しており、（ａ）は正面図、（ｂ）は側面図、（ｃ）は底面図である。
【図２】スネアドラムの打撃挙動から音量低減効果を説明する説明図であり、（ａ）は従来のスネアドラムの説明図、（ｂ）は本発明の第１実施形態に係るスネアドラムの説明図である。
【図３】従来のスネアドラムと本発明の第１実施形態に係るスネアドラムとの打撃からの時間経過に対する音圧の大きさを比較したグラフである。
【図４】従来のスネアドラムと本発明の第１実施形態に係るスネアドラムとの打撃音の周波数に対する音圧の大きさを比較したグラフである。
【図５】本発明の第２実施形態に係るスネアドラムを示した底面図である。
【図６】本発明の第３実施形態に係るスネアドラムを示した底面図である。
【図７】本発明の第４実施形態に係るスネアドラムを示した底面図である。
【図８】本発明の第５実施形態に係るスネアドラムを示した底面図である。
【発明を実施するための形態】
【００１８】
（第１実施形態）
以下、本発明の第１実施形態に係るスネアドラムを図面を用いて説明する。図１（ａ）〜（ｂ）は、同実施形態に係るスネアドラム１０を示している。このスネアドラム１０は、口径が１４インチのスネアドラムであり、胴部を構成する円筒状のシェル１１と、シェル１１の上部開口に取り付けられた円形のバターヘッド１２と、シェル１１の下部開口に取り付けられた円形のスネアサイドヘッド１３と、スネアサイドヘッド１３の下面側に取り付けられたスナッピー１４とを備えている。
【００１９】
シェル１１は、木材（バーチ材）で構成されており振動が発生したときに、内部空気を効率良く下方に伝えたり、振動を内部で反響させたりする機能を備えている。バターヘッド１２は、ＰＥＴ（ポリエチレンテレフタレート）のフィルムからなる円形のヘッド部１２ａと、金属製のリングからなるフレッシュフープ１２ｂとで構成されており、ヘッド部１２ａは、厚みが２５０μｍで、直径がシェル１１の上部開口の直径よりも少し大きく設定されている。このヘッド部１２ａは、外周縁部がフレッシュフープ１２ｂに連結されることにより円形に保持され、ラグ１５と上部張設部１６とによってシェル１１の上部開口に張り付けられて打面を構成する。なお、フレッシュフープ１２ｂの内径は、シェル１１の外径よりも僅かに大きく設定されており、フレッシュフープ１２ｂの内部側にシェル１１の上部を入れたときに、ヘッド部１２ａの外周側部分はシェル１１の開口縁部に押し付けられる。
【００２０】
ラグ１５は、上下方向の長さがシェル１１の上下方向の長さの１／２程度の縦長の部材で構成されており、シェル１１の外周面における上下方向の中央に固定されている。このラグ１５は、シェル１１の周方向に一定間隔を保って複数個設けられており、それぞれが上下対称に形成されたラグ上部１５ａとラグ下部１５ｂとを一体に形成して構成されている。そして、それぞれのラグ上部１５ａの上面から内部下部側に向かってねじ穴が形成され、それぞれのラグ下部１５ｂの下面から内部上部側に向かってねじ穴が形成されている。
【００２１】
上部張設部１６は、フープ１６ａと、チューニングボルト１６ｂとで構成されている。フープ１６ａは、上部よりも下部の方が直径が長くなった段違いのリング状に形成されており、下部側部分はフレッシュフープ１２ｂの外周面と上面とを覆うことのできる大きさに形成され、上部の内径はフレッシュフープ１２ｂの内径と略同じに設定されている。また、フープ１６ａの大径になった下部の外周部には、ボルト挿通穴を備えた係合突起１６ｃが、ラグ１５の数と同じ数だけ周方向に一定間隔を保って形成されている。チューニングボルト１６ｂは、係合突起１６ｃのボルト挿通穴に挿通できるとともに、ラグ上部１５ａのねじ穴に螺合できるねじ部と、直径が係合突起１６ｃのボルト挿通穴の直径よりも長くなって係合突起１６ｃのボルト挿通穴を挿通できない頭部とからなっておりラグ１５の数と同じ数だけ備わっている。
【００２２】
このため、シェル１１の上部にバターヘッド１２を組み付けて、係合突起１６ｃとラグ１５とをそれぞれ対向させた状態で、フレッシュフープ１２ｂの上方にフープ１６ａを載せ、各チューニングボルト１６ｂのねじ部を、順次係合突起１６ｃのボルト挿通穴に通してラグ上部１５ａのねじ穴に螺合させることにより、バターヘッド１２をシェル１１に固定できる。そのときのチューニングボルト１６ｂの締め具合を変更することにより、バターヘッド１２のテンションを調節できる。この場合、フープ１６ａの上部は、バターヘッド１２のヘッド部１２ａよりも上方に突出しており、スティックＳ（図２参照）のショルダー部で叩く場所としても利用される。
【００２３】
スネアサイドヘッド１３は、ＰＥＴのフィルムからなる円形のヘッド部１３ａと、金属製のリングからなるフレッシュフープ１３ｂとで構成されており、ヘッド部１３ａは、厚みが７５μｍで、直径がシェル１１の下部開口の直径よりも少し大きく設定されている。また、ヘッド部１３ａには、中央部を通って径方向に延びる帯状部分（図１（ｃ）においてスナッピー１４で隠れた部分）を除いた部分に直径が３ｍｍの複数の開口部１３ｃが形成されている。複数の開口部１３ｃは、それぞれ２０ｍｍピッチで配置されており、図１（ｃ）に示した状態で、上下に配置された複数列が交互に左右方向にずれることにより三角格子が形成された２次元最密配置に形成されている。また、このスネアサイドヘッド１３では、開口部１３ｃの開口率は２％になっている。
【００２４】
このスネアサイドヘッド１３は、バターヘッド１２と同様、外周縁部がフレッシュフープ１３ｂに連結されることにより円形に保持され、ラグ１５のラグ下部１５ｂと下部張設部１７とによってシェル１１の下部開口に取り付けられる。下部張設部１７は、フープ１７ａと、チューニングボルト１７ｂとで構成されている。フープ１７ａは、フープ１６ａの上下方向を逆にして、その状態の上縁部における対向する部分にそれぞれ挿通用開口部を形成した形状に形成されている。また、チューニングボルト１７ｂはチューニングボルト１６ｂと同じもので構成され、チューニングボルト１６ｂと同数が用いられる。
【００２５】
スネアサイドヘッド１３は、ラグ下部１５ｂと下部張設部１７とを用い、前述したバターヘッド１２と同様の方法により、シェル１１の下部に固定される。この場合も、チューニングボルト１７ｂのねじ部を、フープ１７ａに形成された係合突起１７ｃのボルト挿通穴に通してラグ下部１５ｂのねじ穴に螺合させることが行われ、その際に、チューニングボルト１７ｂの締め具合を変更することにより、スネアサイドヘッド１３のテンションを調節できる。
【００２６】
スナッピー１４は、金属製の複数のコイル１４ａの端部をそれぞれ金属製の一対のスネアプレート１４ｂに連結して形成されたコイル型スナッピーで構成されており、両スネアプレート１４ｂが互いに離れるように引っ張るとコイル１４ａが延び、その引っ張る力を解除すると、コイル１４ａは収縮して元の状態に復元する。このスナッピー１４は、一対の帯状のスネアコード１４ｃ、固定側ストレイナー１８および可動側ストレイナー１９によって、シェル１１に取り付けられている。一対のスネアコード１４ｃの一方の端部は、それぞれスネアプレート１４ｂに着脱可能になっている。固定側ストレイナー１８はシェル１１の外周面における所定の２個のラグ１５間に固定されており、一方のスネアコード１４ｃの他方の端部が固定される。
【００２７】
可動側ストレイナー１９は、シェル１１の外周面における固定側ストレイナー１８が設置された部分と反対側の部分に設置されており、シェル１１の外周面に固定された支持部１９ａ、スネアホールディングプレート１９ｂおよびレバー１９ｃ等からなっている。スネアホールディングプレート１９ｂは、他方のスネアコード１４ｃの他方の端部（図１（ｂ）において右側に位置するスネアコード１４ｃの上端部）を挟んで保持する。レバー１９ｃは、回転機構およびロック機構を備えており、回転操作により、スナッピー１４のテンションを調整できるとともに、ロックすることにより、スナッピー１４をテンションが掛かった状態に維持できる。
【００２８】
なお、スネアサイドヘッド１３をシェル１１の下部に取り付ける際には、ヘッド部１３ａにおける開口部１３ｃが形成されていない帯状部分の端部を、それぞれ固定側ストレイナー１８と可動側ストレイナー１９とが位置する部分に合わせる。また、フープ１７ａのシェル１１への取り付けは、スネアサイドヘッド１３をシェル１１に取り付けたのちに行い、その際、フープ１７ａに形成された一対の挿通用開口部を固定側ストレイナー１８と可動側ストレイナー１９とが位置する部分に合わせて取り付ける。その後、スナッピー１４を取り付ける。この際、スネアコード１４ｃが、フープ１７ａに形成された一対の挿通用開口部を通り、固定側ストレイナー１８と可動側ストレイナー１９に取り付くようにする。
【００２９】
以上のように構成されたスネアドラム１０によれば、従来の開口部１３ｃが設けられていないスネアドラムと比べて、演奏する際に発生する音を低減することができる。このスネアドラム１０と、従来のスネアドラムとの音がでるメカニズムや音量低減の効果を、図２（ａ），（ｂ）を用いて説明する。図２（ａ）は、従来のスネアドラム１０ＡをスティックＳで打撃した状態を示しており、図２（ｂ）は、スネアドラム１０をスティックＳで打撃した状態を示している。なお、図２（ａ），（ｂ）は説明のために用いた図面であり、詳細な部分については、図１（ｂ）とは異なった部分もある。また、スネアドラム１０Ａは、スネアサイドヘッド１３Ａに開口部１３ｃが設けられていないこと以外の構成については、スネアドラム１０と同一であるため、図２（ａ）において、同一部分に同一符号を記している。
【００３０】
まず、スネアドラム１０Ａやスネアドラム１０においては、演奏者が、バターヘッド１２をスティックＳで打撃すると、バターヘッド１２は、変位したり、振動したりする。この際のバターヘッド１２の変位・振動は、図２（ａ），（ｂ）に太い矢印で示したように、シェル１１内の空気に伝わり、さらにシェル１１の下部に位置するスネアサイドヘッド１３Ａやスネアサイドヘッド１３に空気や音圧として伝わる。このときのバターヘッド１２の振幅や空気の伝達は、スネアドラム１０Ａ，１０ともに同じ大きさである。スネアサイドヘッド１３Ａ，１３は、この空気や音圧により下方に変位・振動し、スナッピー１４を下方に押し出す。スナッピー１４は、下方に変位した後、コイル１４ａの復元力により上方に変位してスネアサイドヘッド１３Ａ，１３に衝突する。
【００３１】
この衝突により、スネアサイドヘッド１３Ａ，１３には、高い周波数まで含む振動成分が励起され、スネアドラム特有の音色が発生する。この衝突の後、スナッピー１４は、再度下方に変位した後に、上方に変位して、スネアサイドヘッド１３Ａ，１３に衝突する。そして、以後、スナッピー１４は、スネアサイドヘッド１３Ａ，１３との衝突を繰り返す。スネアドラム１０Ａ，１０は、このスナッピー１４とスネアサイドヘッド１３Ａ，１３との相互作用によってスネアドラム特有の高い周波数を含んだ打撃音を発生することができる。
【００３２】
また、音量については、スネアサイドヘッド１３Ａ，１３およびスナッピー１４の最大変位が大きく影響する。スネアドラム１０Ａの場合、図２（ａ）に示したように、演奏者が、バターヘッド１２をスティックＳで打撃すると、バターヘッド１２の変位に応じて空気圧がスネアサイドヘッド１３Ａに伝わる。この時、スネアサイドヘッド１３Ａの最大振幅ａは、シェル１１内の容積とバターヘッド１２の最大変位と、スネアサイドヘッド１３Ａおよびスナッピー１４の張力によって決定される。また、スネアサイドヘッド１３Ａは、変位すると同時にスナッピー１４を下方に押し下げ、これにより、スナッピー１４も最大変位ｂまで下方に変位する。
【００３３】
一方、スネアドラム１０の場合、図２（ｂ）に示したように、演奏者が、バターヘッド１２をスティックＳで打撃すると、バターヘッド１２の変位に応じて空気圧がスネアサイドヘッド１３に伝わる。この時、スネアサイドヘッド１３に空気圧が加わり、スネアサイドヘッド１３に変位が生じる一方で、図２（ｂ）に複数の小さな矢印で示したように、スネアサイドヘッド１３の複数の開口部１３ｃから外部に空気が流出して、シェル１１内の圧力は低下する。
【００３４】
この現象により、スネアサイドヘッド１３Ａの最大振幅ａと比較して、スネアサイドヘッド１３の最大振幅ａ’は小さくなる。これに伴って、スネアドラム１０では、スナッピー１４が下方に押し出される力も減ることからスナッピー１４の最大変位ｂ’もスネアドラム１０Ａのスナッピー１４の最大変位ｂよりも小さくなる。
【００３５】
このように、スネアドラム１０では、スネアサイドヘッド１３に複数の開口部１３ｃを設けたため、スネアドラム１０Ａと比較して、スネアサイドヘッド１３の最大振幅ａ’およびスナッピー１４の最大変位ｂ’が、スネアサイドヘッド１３Ａの最大振幅ａおよびスナッピー１４の最大変位ｂよりも小さくなる。これによって、音量が低減される。また、スネアドラム１０の音色は、バターヘッド１２の振動、スネアサイドヘッド１３の振動およびスナッピー１４のスネアサイドヘッド１３への衝突による音によって決定されるが、このうち、スネアサイドヘッド１３の振動およびスナッピー１４のスネアサイドヘッド１３への衝突による音の音圧レベルを、スネアドラム１０Ａよりも低減することにより、スネアドラム１０Ａの音色と同様の音色を維持させたまま音量だけを低減させた打撃音を発生させることができる。
【００３６】
また、図３に、スネアドラム１０と、スネアドラム１０Ａとの打撃音の時間の経過に対する音圧の変化を示した波形を示している。図３において、実線ｃはスネアドラム１０の打撃音を示し、破線ｄはスネアドラム１０Ａの打撃音を示している。図３から分かるように、初期波形は、実線ｃと破線ｄとで略同じ挙動を示しており、バターヘッド１２を打撃してからスナッピー１４がスネアサイドヘッド１３に衝突することによる相互作用によって打撃音が発生するまでは、スネアドラム１０と、スネアドラム１０Ａとの打撃音に差は認められない。その後は、実線ｃの音圧は破線ｄよりも小さく音量の低減が認められるが、実線ｃと破線ｄとのピークが描く線は、略平行する直線状になっており、実線ｃのサステインの長さが破線ｄと同様自然な余韻を持ったものであることが分かる。すなわち、減衰は実線ｃ、破線ｄともに同じエンベロープを保っている。
【００３７】
また、図４に、スネアドラム１０と、スネアドラム１０Ａとの打撃音の周波数に対する音圧レベルの変化を示している。図４においては、実線ｃ’がスネアドラム１０の打撃音を示し、破線ｄ’がスネアドラム１０Ａの打撃音を示している。図４によると、実線ｃ’は、破線ｄ’と比較して、周波数が低い領域および高い領域を含む広い周波数帯で音圧エネルギーが低減していることが分かる。このように、スネアドラム１０の打撃音は、スネアドラム１０Ａの打撃音と比較して、初期の挙動が同じであるため、スネアドラム１０Ａの打撃音の音色に似たものになる。また、スネアドラム１０では、打撃音を減衰させることよりも、振幅レベルを落とすことに重点をおいて音量を低減しているため、サステインの長さがスネアドラム１０Ａと同様自然なものになる。
【００３８】
このように、本実施形態に係るスネアドラム１０では、バターヘッド１２には開口部を設けず、スネアサイドヘッド１３だけに開口部１３ｃを設けている。このため、バターヘッド１２を打撃する際の打感や感触はスネアドラム１０Ａの場合と同じにするとともに、スネアドラム１０の音色をスネアドラム１０Ａの音色と同様に保たせながら、音量のみを低減することができる。また、バターヘッド１２には開口部が設けられていないため、バターヘッド１２の耐久性が低下することもない。さらに、スネアドラム１０のスナッピー１４がスネアサイドヘッド１３に衝突する際に生じる音やサステインもスネアドラム１０Ａと同様に発生させることができる。
【００３９】
また、複数の開口部１３ｃを、スネアサイドヘッド１３におけるスナッピー１４に対応する部分を除いた部分に設けたため、スナッピー１４がスネアサイドヘッド１３における開口部１３ｃが設けられた部分に衝突してスネアサイドヘッド１３の耐久性が低下するこも防止できる。さらに、開口部１３ｃの直径を３ｍｍに設定し、開口部１３ｃのスネアサイドヘッド１３（ヘッド部１３ａ）に対する開口率を２％に設定したことにより、自然なスネアドラムの音色を発生できる良好なスネアドラム１０を得ることができる。このため、スネアドラム１０は、実際の演奏用の楽器として好適なものである。なお、スネアドラム１０は、練習用の楽器として用いることにも適していることは言うまでもない。
【００４０】
（第２実施形態）
図５は、本発明の第２実施形態に係るスネアドラム２０の底面を示している。このスネアドラム２０では、スネアサイドヘッド２３の全面にわたって複数の開口部２３ｃが設けられている。この開口部２３ｃの直径やピッチ等は、前述した開口部１３ｃと同じである。このスネアドラム２０のそれ以外の部分の構成については、前述したスネアドラム１０と同一である。したがって、同一部分に同一符号を記して説明は省略する。
【００４１】
このスネアドラム２０によると、スネアサイドヘッド２３の全面にわたって複数の開口部２３ｃが設けられているため、スネアサイドヘッド２３の耐久性は低下するもののスネアサイドヘッド２３の全面を音量を低下させるための領域として利用することができる。また、スネアサイドヘッド２３をシェル１１に組み付ける際に、スネアサイドヘッド２３の方向を気にする必要が無くなるため、スネアサイドヘッド２３のシェル１１への組み付けが容易になる。このスネアドラム２０のそれ以外の作用効果は、前述したスネアドラム１０と同様である。
【００４２】
なお、第２実施形態に係るスネアドラム２０の変形例として、スネアサイドヘッド２３の中心部を中心として径方向に延びスナッピー１４の幅と略等しい幅の領域に設けられる開口部２３ｃの密度を、それ以外の部分に設けられる開口部２３ｃの密度より疎にしてもよい。また、他の変形例として、スネアサイドヘッド２３の中心部を中心として径方向に延びスナッピー１４の幅と略等しい幅の領域に設けられる開口部２３ｃの直径を、それ以外の部分に設けられる開口部２３ｃの直径より小さくしてもよい。これにより、音量低減と耐久性に関して、スネアドラム１０とスネアドラム２０の中間的な効果を得ることができる。
【００４３】
（第３実施形態）
図６は、本発明の第３実施形態に係るスネアドラム３０の底面を示している。このスネアドラム３０では、スネアサイドヘッド３３に設けられた複数の開口部３３ｃの直径とピッチとがそれぞれ前述した開口部１３ｃの直径とピッチよりも大きくなっており、開口率は同じになっている。すなわち、開口部１３ｃの直径を大きくした分、数を少なくしている。このスネアドラム３０のそれ以外の部分の構成については、前述したスネアドラム１０と同一である。したがって、同一部分に同一符号を記して説明は省略する。
【００４４】
このスネアドラム３０によると、開口部３３ｃの直径がより大きいため、空気の流出がしやすくなる。その結果、前述したスネアドラム１０よりも振幅が低減する。すなわち、開口率が同じでも開口部の直径を大きくすることで、振幅は効果的に減少していく。このスネアドラム３０のそれ以外の作用効果は、前述したスネアドラム１０と同様である。
【００４５】
（第４実施形態）
図７は、本発明の第４実施形態に係るスネアドラム４０の底面を示している。このスネアドラム４０では、スネアサイドヘッド４３に、複数の大きな開口部４３ｃと、複数の小さな開口部４３ｄとが設けられている。開口部４３ｃは、直径とピッチが、それぞれ前述した第１実施形態の開口部１３ｃと同じになって、スネアサイドヘッド４３の外周側に配置されている。開口部４３ｄは、直径とピッチが、それぞれ開口部４３ｄよりも短くなっており、スネアサイドヘッド４３の中央側に２個の台形を間隔を保って対称に形成するように配置されている。また、中央側に位置する開口部４３ｄが占める領域は、直径でスネアサイドヘッド４３の６４％の略円形になっている。このスネアドラム４０のそれ以外の部分の構成については、前述したスネアドラム１０と同一である。したがって、同一部分に同一符号を記して説明は省略する。
【００４６】
このスネアドラム４０によると、前述したスネアドラム１０よりも振幅が低減する。すなわち、スネアサイドヘッド４３の中央側に多くの開口部４３ｄを設けることによって、振幅は効果的に減少していく。このスネアドラム４０のそれ以外の作用効果は、前述したスネアドラム１０と同様である。なお、第４実施形態に係るスネアドラム４０の変形例として、開口部４３ｃと、開口部４３ｄとの直径を同じにして、それぞれのピッチだけを図７の状態、すなわち、スネアサイドヘッド４３の中央側が外周側よりも密になるようにしてもよい。また、他の変形例として、スネアサイドヘッド４３におけるスナッピー１４に対応する部分にも、開口部４３ｃおよび開口部４３ｄを設けてもよい。なお、この第４実施形態では、開口部４３ｄが設けられる中央側の領域を、直径でスネアサイドヘッド４３の６４％の略円形としているが、この中央側の領域の直径は４０％以上にすることが好ましい。
【００４７】
（第５実施形態）
図８は、本発明の第５実施形態に係るスネアドラム５０の底面を示している。このスネアドラム５０では、スネアサイドヘッド５３に設けられた複数の開口部５３ｃのピッチが、スネアサイドヘッド５３の中央側の開口部５３ｃよりも外周側の開口部５３ｃの方が短くなるようにしている。このため、スネアサイドヘッド５３の中央側よりも外周側に多くの開口部５３ｃが配置されている。
【００４８】
なお、開口部５３ｃの直径およびスネアサイドヘッド５３の中央側に設けられた開口部５３ｃのピッチは前述した開口部１３ｃの直径およびピッチと同じで、スネアサイドヘッド５３の外周側に設けられた開口部５３ｃピッチは、開口部１３ｃのピッチよりも短く設定されている。この場合も、中央側の開口部５３ｃは、２個の台形を間隔を保って対称に形成するように配置されている。この場合も、中央側に位置する開口部５３ｃが占める領域は、直径でスネアサイドヘッド５３の６４％の略円形になっている。このスネアドラム５０のそれ以外の部分の構成については、前述したスネアドラム１０と同一である。したがって、同一部分に同一符号を記して説明は省略する。
【００４９】
このスネアドラム５０によると、中央部分の開口部５３ｃは前述したスネアドラム１０と同様のため同様の振幅低減が得られる。また、外周部分の開口部５３ｃはスネアドラム１０の対応する部分の開口部１３ｃよりも多くの穴で構成されているため、高調波を含みやすい外周部分のヘッドの振幅がより抑えられる。すなわち、外周部分の穴を増やすことで、音量低減を実現しながら、音色を変化させることも可能となる。このスネアドラム５０のそれ以外の作用効果は、前述したスネアドラム１０と同様である。なお、第５実施形態に係るスネアドラム５０の変形例として、中央側の開口部５３ｃと外周側の開口部５３ｃとの直径が異なるようにしてもよい。また、他の変形例として、スネアサイドヘッド５３におけるスナッピー１４に対応する部分にも、開口部５３ｃを設けてもよい。
【００５０】
このように、各実施形態で用いられるスネアサイドヘッド１３，２３等を、適宜用いることにより、任意の音を発生できるスネアドラム１０を得ることができる。また、スネアサイドヘッド１３，２３等は、複数種類準備しておき、適宜、取り替えて使用することもできる。これによって、スネアドラム１０は興趣に富むものとなる。また、本発明に係るスネアドラムは、前述した実施形態に限定するものでなく技術的範囲で適宜変更実施が可能である。
【符号の説明】
【００５１】
１０，２０，３０，４０，５０…スネアドラム、１１…シェル、１２…バターヘッド、１３，２３，３３，４３，５３…スネアサイドヘッド、１３ｃ，２３ｃ，３３ｃ，４３ｃ，４３ｄ，５３ｃ…開口部、１４…スナッピー。
【図１】
0005630618.tif 000002
【図２】
0005630618.tif 000003
【図３】
0005630618.tif 000004
【図４】
0005630618.tif 000005
【図５】
0005630618.tif 000006
【図６】
0005630618.tif 000007
【図７】
0005630618.tif 000008
【図８】
0005630618.tif 000009